(57)【要約】  本発明は、フードを備えた、火災防止型組込み式照明器具を開示する。フード上に放熱開口が配置されている。火災防止用膨張性シートの対応する位置、及び／又は膨張性シートの縁と放熱開口の縁との間に放熱穴が形成される。フード上の放熱開口及び火災防止用膨張性シートは、通常の場合には照明器具が正常に放熱されるよう、また火災が生じた場合には、火災防止用膨張性シートが急速に膨張することによって、放熱開口が自然に封じ込められるように構成される。従って、フードは、火災が内部から外部へ伝播するのを防止することができる。【選択図】図１
0003136127.tif 000002
【実用新案登録請求の範囲】
【請求項１】
外枠を備える耐火型埋込み式ダウンライトであって、
前記外枠が、膨張性不燃片がその中に固定された少なくとも１つの放熱口を備え、前記放熱口に対応する少なくとも１つの放熱開口が、前記膨張性不燃片中に形成され、又は、少なくとも１つの放熱開口が、前記膨張性不燃片の縁と前記放熱口の縁との間に形成される、耐火型埋込み式ダウンライト。
【請求項２】
断熱片が外枠の底部表面に固定されている、請求項１に記載の耐火型埋込み式ダウンライト。
【請求項３】
外枠が、金属層と、前記金属層の内側又は外側に不燃性断熱層とを備える、請求項１に記載の耐火型埋込み式ダウンライト。
【請求項４】
外枠が、２つの金属層と、前記２つの金属層間に１つの不燃性断熱層とを備える、請求項１に記載の耐火型埋込み式ダウンライト。
【請求項５】
外枠が凹部を備え、放熱口が前記凹部の底部にあり、膨張性不燃片が前記凹部内に固定され、さらに外枠に固定されたカバーが膨張性不燃片を覆う、請求項１、３又は４に記載の耐火型埋込み式ダウンライト。
【請求項６】
放熱口が外枠の上部に形成される、請求項１、３又は４のいずれかに記載の耐火型埋込み式ダウンライト。
【考案の詳細な説明】
【技術分野】
【０００１】
本発明は、照明設備技術に関し、特に耐火式埋込み式ダウンライトに関する。
【背景技術】
【０００２】
従来、埋込み式ダウンライトは、装飾及び照明用として天井、壁又は調度品に取り付けられてきた。天井、壁又は調度品の、埋込み式ダウンライトが取り付けられる部分は、通常、火災の拡大を防止するために耐火ボードで製作される。また、そのような部分には、埋込み式ダウンライトを取り付けるために穴が開けられる。しかし、在来の埋込み式ダウンライトの大部分は、火災の拡大を防止することができず、従って、耐火ボードの裏側にある他の物体、即ち骨組みや梁などの中核床材に着火する。従って、耐火ボードは、火災の拡大を効果的に防止することができず、従来の埋込み式ダウンライトには、大きな危険性がある。
【０００３】
従って、上記の問題を解決する耐火型埋込み式ダウンライトが望まれる。
【考案の開示】
【考案が解決しようとする課題】
【０００４】
本発明の目的は、耐火型埋込み式ダウンライトを提供することである。
【課題を解決するための手段】
【０００５】
上記の目的を満足するために、本発明による耐火型埋込み式ダウンライトが用いられる。耐火型埋込み式ダウンライトは、少なくとも１つの放熱口を有する外枠を備える。膨張性不燃片が、放熱口内に固定されている。少なくとも１つの放熱開口が、膨張性不燃片中に、放熱口に対応して形成される。本発明の別の実施形態では、少なくとも１つの放熱開口が、膨張性不燃片の縁と放熱口の縁との間に形成される。
【０００６】
その結果、耐火型埋込み式ダウンライトの外枠の放熱口及び膨張性不燃片は、通常の状態では熱を発散するのに役立つことができ、火災発生時には、膨張性不燃片が速やかに膨張して放熱口を閉じ、従って、電灯と外枠外部の可燃物体とは遮断される。従って、外枠内部の高温によって、外部の物体が着火することはない。
【０００７】
本発明の他の目的、利点及び新規な特徴は、添付図面に即する以下の詳細な説明から、より明白になるであろう。
【考案を実施するための最良の形態】
【０００８】
ここで、図面を参照して、本発明を詳細に説明する。
【０００９】
構造を明瞭に示すために、図７、８、１６、及び１７を除く他の全ての図面は、外枠の内側に取り付けられる電灯器具を省いてある。図１を参照すると、耐火型埋込み式ダウンライトは、放熱口４を有する外枠を備える。有効な放熱効果を得るために、放熱口４は、通常、外枠の頭部に形成される。放熱口はまた、外枠の側壁に形成してもよい。膨張性不燃片５が、放熱口４内に固定されている。図６を参照すると、膨張性不燃片５は、放熱口４の上又は下にボルト又は他の手段を用いて固定することもできる。放熱開口６が、膨張性不燃片５中に、放熱口４に対応して形成される。本発明の別の実施形態では、放熱開口６’は、膨張性不燃片５の縁と放熱口４の縁との間に形成されている。耐火型埋込み式ダウンライトの放熱能力を向上させるために、２つ以上の放熱口４を外枠に形成することができ、２つ以上の放熱開口６を膨張性不燃片５に形成することができる。また、本発明の別の実施形態では、２つ以上の放熱開口６'を、膨張性不燃片５の縁と放熱口４の縁との間に形成することができる。図２及び１１を参照すると、膨張性不燃片５は、放熱口４のテーパ中に容易に固定することができる。他方、図３、１１及び１２を参照すると、放熱口４に対応させてカバー８を外枠の上又は下に取り付け、又は外枠中に組み込んで、膨張性不燃片５が外枠から分離するのを防止することができる。耐火型埋込み式ダウンライトの外枠の放熱口４は、通常の状態では熱を発散するのに役立つことができ、火災発生時には、膨張性不燃片５が速やかに膨張して放熱口４を閉じ、従って、外枠中の高温によって、その外側の物体が着火することがない。膨張性不燃片５は、不燃性、耐火性、且つ膨張性材料、即ちAmerican 3M Company社製のCP-25、CS-195、又はAmerican Nelson Company社製のCPS-AA546から製作される。
【００１０】
断熱片１３が、外枠の底部に形成される。断熱片１３は、外枠の高温な底部がそれに隣接するボードの表面を焦がすのを防止するために、通常、図９に示すように通常のガスケット、又は図１０に示すように、一部が外枠の側壁に沿って上方に延びるガスケットとして形成される。断熱片１３は、アルミニウム珪酸塩、ロックウール及びセラミック繊維などのいくつかの種類の通常の不燃性断熱材から製作される。断熱片１３はまた、火炎がボード内へ拡大するのを避けるために、前記の不燃性断熱材から製作することもできる。
【００１１】
図２及び３を参照すると、外枠は、金属層２と、金属層２の内側又は外側に不燃性断熱層３とを備える。金属層２は、鉄、銅、アルミニウムなどの耐火性金属材料から製作される。不燃性断熱層３は、アルミニウム珪酸塩、ロックウール、セラミック繊維など、いくつかの種類の通常の不燃性断熱材から製作される。外枠は、火災が外部に拡大するのを回避することができ、不燃性断熱層３は、耐火型埋込み式ダウンライト周りの可燃性物体が着火しないように、外枠の外面を比較的低温に保つことができる。
【００１２】
図４を参照すると、外枠は、２つの金属層２と、前記２つの金属層２間に１つの不燃性断熱層３とを備える。そのような簡単な構造により、断熱層３を効果的に保護することができる。
【００１３】
図９及び１０を参照すると、膨張性不燃片５が放熱口４から分離するのを回避するために、上部又は下部が中空である凹部７が、外枠の頭部に形成されている。放熱口４は、膨張性不燃片５が組み込まれ、カバー８が膨張性不燃片５を覆っている凹部７の底部にある。放熱開口６又は６’に対応する穴がカバー８に形成される。カバー８は外枠に取り付けられる。図５を参照すると、カバー８は、外枠の外面に接して取り付けることができる。更に、図９を参照すると、電灯をボードに固定するために、外枠はスプリングクリップ１０を備える。外枠を固定するために、また、他の手段を用いることもできる。
【００１４】
図７及び８を参照すると、少なくとも１つの電灯保持具１が固定された電灯笠１１が、外枠内に取り付けられる。１つの電灯保持具１は、少なくとも１つの電灯収容部を備える。電気配線がそれを通って外部回路に接続する出口穴９が、外枠に形成される。出口穴９は、防炎材又は不燃材によってシールされる。図１７を参照すると、電気配線は、外部回路に接続するために、放熱開口６又は６’を通すこともできる。
【００１５】
更に、外枠は以下のように形成することができる。図１３及び１４を参照すると、膨張性不燃片５を、２つの層の間に固定することができる。また、外枠の不燃性断熱層３は、前記の耐火材で製作され、図１５に示すように、膨張性不燃片５の放熱口の代わりに放熱口を備えることができる。そのような構造が、より一般的である。
【００１６】
更に、本発明を特定の実施形態を参照して記載してきたが、それに限定されると解釈するべきではない。添付特許請求の範囲に定められる本発明の範囲及び精神から少しも逸脱することなく、その実施形態に様々な変更及び修正を加えることができる。本発明の他の実施形態がいくつかある。図１６を参照すると、外枠を通常の電灯笠にすることができ、電灯保持具１を外枠に固定することができる。前記外枠は、通常の電灯笠としてだけではなく、不燃性且つ断熱性の電灯笠として用いられている。そのような簡潔な構造は、製造コストを低減することができる。外枠に電灯保持具１を固定するのに他の手段を用いることができる。更に、放熱口４は、図８に示すように座ぐり穴として形成することもできる。膨張性不燃片５が座ぐり穴の中に入り、カバー８が膨張性不燃片５を覆う。そのような構造では、膨張性不燃片５の固定プロセスが比較的容易である。
【図面の簡単な説明】
【００１７】
【図１】本発明による第１の実施形態の切断図である。
【００１８】
【図２】本発明による第２の実施形態の切断図である。
【００１９】
【図３】本発明による第３の実施形態の切断図である。
【００２０】
【図４】本発明による第４の実施形態の切断図である。
【００２１】
【図５】本発明による第５の実施形態の切断図である。
【００２２】
【図６】本発明による第６の実施形態の切断図である。
【００２３】
【図７】本発明による第７の実施形態の切断図である。
【００２４】
【図８】本発明による第８の実施形態の切断図である。
【００２５】
【図９】本発明による第９の実施形態の切断図である。
【００２６】
【図１０】本発明による第１０の実施形態の切断図である。
【００２７】
【図１１】本発明による第１１の実施形態の切断図である。
【００２８】
【図１２】本発明による第１２の実施形態の切断図である。
【００２９】
【図１３】本発明による第１３の実施形態の切断図である。
【００３０】
【図１４】本発明による第１４の実施形態の切断図である。
【００３１】
【図１５】本発明による第１５の実施形態の切断図である。
【００３２】
【図１６】本発明による第１６の実施形態の切断図である。
【００３３】
【図１７】本発明による耐火型埋込み式ダウンライトを使用中の切断図である。
【図１】
0003136127.tif 000003
【図２】
0003136127.tif 000004
【図３】
0003136127.tif 000005
【図４】
0003136127.tif 000006
【図５】
0003136127.tif 000007
【図６】
0003136127.tif 000008
【図７】
0003136127.tif 000009
【図８】
0003136127.tif 000010
【図９】
0003136127.tif 000011
【図１０】
0003136127.tif 000012
【図１１】
0003136127.tif 000013
【図１２】
0003136127.tif 000014
【図１３】
0003136127.tif 000015
【図１４】
0003136127.tif 000016
【図１５】
0003136127.tif 000017
【図１６】
0003136127.tif 000018
【図１７】
0003136127.tif 000019
【手続補正書】
【提出日】平成19年2月9日(2007.2.9)
【手続補正１】
【補正対象書類名】実用新案登録請求の範囲
【補正対象項目名】全文
【補正方法】変更
【補正の内容】
【実用新案登録請求の範囲】
【請求項１】
外枠（２１）と、前記外枠（２１）内に固定された照明設備（１１１）とを備える耐火型埋込み式ダウンライトであって、
前記外枠（２１）が、膨張性不燃片（５）がその中に固定された少なくとも１つの放熱穴（４）を備え、放熱開口（６）が、前記放熱穴（４）を前記外枠（２１）の外部と連通させる、耐火型埋込み式ダウンライト。
【請求項２】
放熱開口（６）が、膨張性不燃片（５）中に放熱穴（４）に対応して形成される、請求項１に記載の耐火型埋込み式ダウンライト。
【請求項３】
少なくとも１つの放熱開口（６’）が、膨張性不燃片（５）の縁と放熱穴（４）の縁との間に形成される、請求項１に記載の耐火型埋込み式ダウンライト。
【請求項４】
断熱片（１３）が、外枠（２１）の底部表面（１２）に固定される、請求項１に記載の耐火型埋込み式ダウンライト。
【請求項５】
外枠（２１）が、金属層（２）と、前記金属層（２）の内側及び／又は外側に不燃性及び／又は断熱層（３）とを備える、請求項１に記載の耐火型埋込み式ダウンライト。
【請求項６】
外枠（２１）が、２つの金属層（２）と、前記２つの金属層（２）間にある１つの不燃性及び／又は断熱層（３）とを備える、請求項１に記載の耐火型埋込み式ダウンライト。
【請求項７】
外枠（２１）が凹部（７）を備え、放熱穴（４）が前記凹部（７）の底部にあり、膨張性不燃片（５）が前記凹部（７）内に固定され、カバー（８）が前記外枠（２１）に固定されて前記膨張性不燃片（５）を覆い、前記放熱開口（６）に対応する穴（８１）が前記カバー（８）に形成される、請求項１から６のいずれかに記載の耐火型埋込み式ダウンライト。
【請求項８】
放熱穴（４）が、外枠（２１）の上部に形成される、請求項１から６のいずれか１項に記載の耐火型埋込み式ダウンライト。
【請求項９】
放熱穴（４）が、外枠（２１）の側壁に形成される、請求項１から６のいずれかに記載の耐火型埋込み式ダウンライト。
【手続補正２】
【補正対象書類名】明細書
【補正対象項目名】全文
【補正方法】変更
【補正の内容】
【考案の詳細な説明】
【技術分野】
【０００１】
本発明は、照明設備技術に関し、特に耐火式埋込み式ダウンライトに関する。
【背景技術】
【０００２】
従来、埋込み式ダウンライトは、装飾及び照明用として天井、壁又は調度品に取り付けられてきた。天井、壁又は調度品の、埋込み式ダウンライトが取り付けられる部分は、通常、火災の場合に炎の拡大を防止するために耐火ボードで製作される。また、そのような部分には、埋込み式ダウンライトを取り付けるためにカットアウトが開けられる。しかし、在来の埋込み式ダウンライトの大部分は、火災の拡大を防止することができず、従って、耐火ボードの裏側にある他の物体、即ち骨組みや梁などの中核床材に着火又は溶融する。従って、耐火ボードは、火災の拡大を効果的に防止することができず、従来の埋込み式ダウンライトには、大きな危険性がある。
【０００３】
従って、上記の問題を解決する耐火型埋込み式ダウンライトが望まれる。
【考案の開示】
【考案が解決しようとする課題】
【０００４】
本発明の目的は、耐火型埋込み式ダウンライトを提供することである。
【課題を解決するための手段】
【０００５】
上記の目的を達成するために、本発明による耐火型埋込み式ダウンライトが用いられる。耐火型埋込み式ダウンライトは、外枠、及び外枠内に取り付けられた照明設備を備え、前記外枠は、膨張性不燃片がその中に固定された少なくとも１つの放熱穴を有する。放熱穴は、放熱開口を介して外枠の外部へ通じている。
【０００６】
その結果、耐火型埋込み式ダウンライトの外枠の放熱穴、及び膨張性不燃片は、通常の状態では熱を発散するのに役立つことができ、火災発生時には、膨張性不燃片が速やかに膨張して放熱穴を閉じ、それにより、外枠外部の可燃物体は、外枠内部の照明設備から完全に遮断される。従って、外枠内部の火災が、外部の物体を着火させることはない。
【０００７】
本発明の他の目的、利点及び新規な特徴は、添付図面に即する以下の詳細な説明から、より明白になるであろう。
【考案を実施するための最良の形態】
【０００８】
ここで、図面を参照して、本発明を詳細に説明する。
【０００９】
構造を明瞭に示すために、図７、８、１６、及び１７を除く他の全ての図面において、外枠２１の内側の照明設備１１１を省いてある。図１を参照すると、耐火型埋込み式ダウンライトの外枠２１は、放熱穴４を有する。有効な放熱効果を得るために、放熱穴４は、通常、外枠の頭部に形成される。放熱口はまた、外枠の側壁に形成してもよい。膨張性不燃片５が、放熱穴４内に固定されている。膨張性不燃片５は、放熱穴４の上又は下にボルト又は他の手段を用いて固定することもできる。図６を参照すると、放熱開口６が、膨張性不燃片５中に、放熱穴４に対応して形成される。本発明の別の実施形態では、放熱開口６’は、膨張性不燃片５の縁と放熱穴４の縁との間に形成されている。耐火型埋込み式ダウンライトの放熱能力を向上させるために、２つ以上の放熱穴４を外枠に形成することができ、２つ以上の放熱開口６を膨張性不燃片５に形成することができる。また、本発明の別の実施形態では、２つ以上の放熱開口６'を、膨張性不燃片５の縁と放熱穴４の縁との間に形成することができる。図２及び１１を参照すると、膨張性不燃片５は、放熱穴４のテーパ中に容易に固定することができる。他方、図３、１１及び１２を参照すると、放熱穴４に対応させてカバー８を外枠の上又は下に取り付け、又は外枠中に組み込んで、膨張性不燃片５が外枠から分離するのを防止することができる。耐火型埋込み式ダウンライトの外枠の放熱穴４は、通常の状態では熱を発散するのに役立つことができ、火災発生時には、膨張性不燃片５が速やかに膨張して放熱穴４を閉じ、従って、外枠は、内部の火災が外部の物体に着火するのを防止する。膨張性不燃片５は、不燃性、耐火性、且つ膨張性材料、即ちAmerican 3M Company社製のCP-25、CS-195、又はAmerican Nelson Company社製のCPS-AA546から製作される。
【００１０】
図２を参照すると、外枠２１は、金属層２及び金属層２の内側に不燃且つ／又は断熱層３を備え、図３を参照すると、外枠２１は、金属層２及び金属層２の外側に不燃且つ／又は断熱層３を備え、外枠２１はまた、金属層２及び金属層２の外側と内側の両方に不燃且つ／又は断熱層３を備えることができる。金属層２は、鉄、銅、アルミニウムなどの耐火性金属材料から製作される。また、不燃且つ／又は断熱層３は、アルミニウム珪酸塩、ロックウール、セラミック繊維など、いくつかの種類の通常の不燃性断熱材から製作される。外枠により、火災が外部に拡大するのを回避することができ、不燃且つ／又は断熱層３は、耐火型埋込み式ダウンライト周りの可燃性物体に着火しないように、外枠の外面を比較的低温に保つことができる。
【００１１】
要求条件が低ければ、以下の構造を適用することもできる。即ち、断熱片１３を外枠２１の底部表面１２上に形成する。断熱片１３は、通常、図９に示す通常のガスケット、又は図１０に示す一部が外枠の側壁に沿って上方に延びるガスケットとして形成される。図１７を参照すると、埋込み式ライトは、通常、スプリングクリップ１０と外枠の底部表面１２との間にボード１４を緊締するスプリングクリップ１０を使用することによって、ボード１４上に固定され、従って、外枠の底部表面１２の裏側がボード１４と接触することになる。断熱片１３は、高温な外枠底部が、それに隣接するボードの表面を焦がすのを防ぐのに用いられる。断熱片１３は、アルミニウム珪酸塩、ロックウール、セラミック繊維などのいくつかの種類の通常の不燃性断熱材から製作される。断熱片１３はまた、火炎がボードの切抜き穴を通って拡大するのを避けるために、前記の不燃性耐火材から製作することができる。
【００１２】
図４を参照すると、外枠は、２つの金属層２と、前記２つの金属層２間にある１つの不燃性及び／又は断熱層３とを備える。そのような簡単な構造により、断熱層３を効果的に保護することができる。
【００１３】
図９を参照すると、膨張性不燃片５が放熱穴４から分離するのを回避するために、上部が中空である凹部７が、外枠の上部に形成される。また、図１０を参照すると、凹部は、底部が中空であってもよい。放熱穴４は、膨張性不燃片５が組み込まれ、カバー８が膨張性不燃片５を覆っている凹部７の底部にある。放熱開口６又は６’に対応する穴８１がカバー８に形成される。カバー８は外枠に取り付けられる。図５を参照すると、カバー８は、外枠の外面に接して取り付けることができる。更に、図９を参照すると、埋込み式ダウンライトをボードに固定するために、外枠はスプリングクリップ１０を備える。外枠を固定するために、また、他の手段、例えばボルトを用いることもできる。
【００１４】
図７及び８を参照すると、照明設備１１１が外枠２１内に取り付けられ、照明設備１１１は、ランプ笠１１、ランプ笠１１に固定された少なくとも１つの電灯保持具１、及び電灯保持具１に取り付けられた少なくとも１つの電灯１０１を備える。電気配線がそれを通って外部回路に接続する出口穴９が、外枠に形成される。出口穴９は、防炎材又は不燃材によってシールされる。図１７を参照すると、電気配線は、外部回路に接続するために、放熱開口６又は６’を通すこともできる。
【００１５】
更に、外枠は以下のように形成することができる。図１３及び１４を参照すると、膨張性不燃片５を、２つの層の間に固定することができる。また、外枠の不燃性及び／又は断熱層３は、前記の耐火材で製作され、図１５に示すように、放熱穴を備えることができる。そのような構造が、より簡単である。
【００１６】
更に、本発明を特定の実施形態を参照して記載してきたが、それに限定されると解釈するべきではない。添付特許請求の範囲に定められる本発明の範囲及び精神から少しも逸脱することなく、その実施形態に様々な変更及び修正を加えることができる。本発明の他の実施形態がいくつかある。図１６を参照すると、外枠を通常の電灯笠にすることができ、電灯保持具１を外枠に固定することができる。このようにして、前記外枠は、通常の電灯笠としてだけではなく、不燃性且つ断熱性の電灯笠として用いられている。そのような簡潔な構造は、製造コストを低減することができる。外枠に電灯保持具１を固定するのに他の手段を用いることができる。更に、放熱穴４は、図８に示すように座ぐり穴として形成することもできる。膨張性不燃片５が座ぐり穴の中に入り、カバー８が膨張性不燃片５を覆う。そのような構造では、膨張性不燃片５の固定プロセスが比較的容易である。
【図面の簡単な説明】
【００１７】
【図１】本発明による第１の実施形態の切断図である。
【００１８】
【図２】本発明による第２の実施形態の切断図である。
【００１９】
【図３】本発明による第３の実施形態の切断図である。
【００２０】
【図４】本発明による第４の実施形態の切断図である。
【００２１】
【図５】本発明による第５の実施形態の切断図である。
【００２２】
【図６】本発明による第６の実施形態の切断図である。
【００２３】
【図７】本発明による第７の実施形態の切断図である。
【００２４】
【図８】本発明による第８の実施形態の切断図である。
【００２５】
【図９】本発明による第９の実施形態の切断図である。
【００２６】
【図１０】本発明による第１０の実施形態の切断図である。
【００２７】
【図１１】本発明による第１１の実施形態の切断図である。
【００２８】
【図１２】本発明による第１２の実施形態の切断図である。
【００２９】
【図１３】本発明による第１３の実施形態の切断図である。
【００３０】
【図１４】本発明による第１４の実施形態の切断図である。
【００３１】
【図１５】本発明による第１５の実施形態の切断図である。
【００３２】
【図１６】本発明による第１６の実施形態の切断図である。
【００３３】
【図１７】本発明による耐火型埋込み式ダウンライトを使用中の切断図である。
【手続補正３】
【補正対象書類名】図面
【補正対象項目名】全図
【補正方法】変更
【補正の内容】
【図１】
0003136127.tif 000020
【図２】
0003136127.tif 000021
【図３】
0003136127.tif 000022
【図４】
0003136127.tif 000023
【図５】
0003136127.tif 000024
【図６】
0003136127.tif 000025
【図７】
0003136127.tif 000026
【図８】
0003136127.tif 000027
【図９】
0003136127.tif 000028
【図１０】
0003136127.tif 000029
【図１１】
0003136127.tif 000030
【図１２】
0003136127.tif 000031
【図１３】
0003136127.tif 000032
【図１４】
0003136127.tif 000033
【図１５】
0003136127.tif 000034
【図１６】
0003136127.tif 000035
【図１７】
0003136127.tif 000036